(57)【要約】  布地に効果をもたらすための手持ち式ローラー物品。本発明は、布地に効果をもたらすための手持ち式ローラー物品の利用に関する。手持ち式ローラー物品は、ロールに形成された基材を備え、基材は、布地に効果をもたらすための１つ以上の効果剤を含むことができる。手持ち式ローラー物品は又、基材ロールに連結されたハンドルと基材ロールを覆うためのカバーとを備えるローラー物品を包含する。
2008503276.tif 000002
【特許請求の範囲】
【請求項１】
ローラー物品において、
ハンドル及びカバーを備えて、
前記ハンドルが、共に取り付く第一のハウジング及び第二のハウジングを含む２つの非対称半分体を含むものであり、
前記カバーが、カバーガイド柱を含み、
前記ハンドルが、前記カバーガイド柱を受け入れるためのガイド竪穴を含むローラーハブを含むことを特徴とする、ローラー物品。
【請求項２】
前記カバーガイド柱が、前記ハブと軸方向に整列する、請求項１に記載のローラー物品。
【請求項３】
１つ以上の通気スロットを更に含む、請求項１または２に記載のローラー物品。
【請求項４】
１つ以上の補強リブを更に含む、請求項１〜３のいずれか一項に記載のローラー物品。
【請求項５】
前記ハンドルがカバー停止体を含む、請求項１〜４のいずれか一項に記載のローラー物品。
【請求項６】
前記ガイド柱が導入先細部を更に含む、請求項１〜５のいずれか一項に記載のローラー物品。
【請求項７】
前記カバーが１つ以上の点接触部を更に含む、請求項１〜６のいずれか一項に記載のローラー物品。
【請求項８】
前記第一のハウジングが１つ以上の半径方向リブを更に含む、請求項１〜７のいずれか一項に記載のローラー物品。
【請求項９】
前記第一のハウジングが１つ以上の軸方向リブを更に含む、請求項１〜８のいずれか一項に記載のローラー物品。
【発明の詳細な説明】
【技術分野】
【０００１】
本発明は、カバーを含む手持ち式のローラー用具に関するものである。
【背景技術】
【０００２】
手持ち式ローラー（例えば、糸くず取りローラーなどの）用具は通常、（ロールに形成された基材を保持可能な）ハンドルと、ハンドルに取り付けられた基材のロールと、基材を包囲するカバーを備える。基材は一般に、複数の巻付け物で構成され、それぞれの巻付け物は、スリット、穿孔などのある種の分離部によって次の隣接巻付け物から分離される。多くの場合、基材は、布地に効果をもたらすためのある種の効果剤で処理される。例えば、手持ち式ローラー用具を布地の上で転がす時に、糸くず及び他の汚染物を布地表面から取り去ることを強化するために、基材の外側に面する側は、粘着剤で処理されてもよい。
【０００３】
基材の包囲に使用されるカバーは通常、セルロース性又は非セルロース性のシート材料で構成される。そのようなカバーの欠点の１つは、カバーを取り去る又は元に戻す時に、基材に対するカバーの軸整列を維持することの困難さに起因する。使用されていない時に、基材のある部分が、環境にさらされたまま残ることが多い。このことが、基材への損傷及び／又は製品性能の劣化という結果になる場合がある。例えば、暴露されたままの場合、基材の暴露領域が、ほこり及びちり等の意図しない汚染物を拾い集め、このようにして基材のシートを意図せずに無駄に使って、基材の寿命を縮めてしまう場合がある。その上、カバー無しでは、基材の縁部又は表面が鈍い衝撃にさらされる。基材の損傷が、暴露された基材巻付け物を次の隣接巻付け物から取り去ることを困難にする場合がある。その上更に、基材の暴露は、基材に添加された効果剤の劣化という結果になる場合がある。例えば、使用されていない時に環境に曝されたままの場合、基材に組み入れられた揮発性物質（例えば芳香剤など）が、時期尚早に揮発する傾向となることがあり、これにより、使用中に利用可能な効果剤の量が減少する。
【０００４】
その上更に、場合によっては、貯蔵中に、手持ち式ローラー用具を直立／垂直姿勢に立たせるのが困難なことがある。これは一般に、ロールの形状及び／又は用具の全体高さに比較して用具端部の小さな接触面積のためである。
【発明の開示】
【発明が解決しようとする課題】
【０００５】
本発明は、共に取り付いてハンドルを形成する２つの非対称半分体と、ローラーハブと、カバーガイド竪穴とで構成されるローラー用具を提供することによって、これらの欠点に取り組む。本発明は又、制御された方法でカバーをローラー用具上で取り外す及び元に戻すために、用具のカバーガイド竪穴と共同で機能するガイド柱で構成されるカバーに関する。本発明は、カバーがローラー用具上に戻される及び／又はローラー用具から取り外される時に、ガイド柱がカバーとローラー用具の間の軸整列を可能にするので、基材ロールに固着するカバーを除外する。このことは、基材ロールを損傷から保護することの助けにもなる。その上更に、使用されていない時の基材ロールの暴露が減少するので、製品性能の低下の機会が少なくなる。更に又、本発明のカバーは、安定した基部をローラー物品に対して提供し、これにより、物品を垂直姿勢で保管することが容易になる。
【課題を解決するための手段】
【０００６】
本発明は、ローラー物品に関する。ローラー物品は、ハンドル及びカバーを備える。ハンドルは、共に取り付く第一のハウジング及び第二のハウジングを含む、２つの非対称半分体を含む。カバーは、カバーガイド柱を含む。ハンドルは、カバーガイド柱を受け入れるためのガイド竪穴を含む、ローラーハブを含む。カバーガイド柱は、ハブと軸方向に整列することができる。ローラー物品は、１つ以上の通気スロットを含んでもよい。ローラー物品は又、１つ以上の補強リブを含んでもよい。
【発明を実施するための最良の形態】
【０００７】
本発明の多様な実施形態をこれから詳細に説明するが、その例は添付図にて示されており、そこでは、類似番号が各図面を通して同一要素を表す。本明細書のパーセンテージ、比率、及び割合はすべて、特に指示のない限り、重量を基準とする。
【０００８】
特に指定のない限り、分量、百分率、部分及び比率を含むすべての量は、「約」という言葉により修正されると理解され、量は有効数字を示すことを意図しない。
【０００９】
特に指定される場合を除き、冠詞「ａ」、「ａｎ」、及び「ｔｈｅ」は「１つ以上」を意味する。本明細書で使用する時、「含む」は、最終結果に影響を及ぼさない他の工程及び他の成分／物質の追加が可能であることを意味する。この用語は、「から成る」及び「から本質的に成る」という用語を包含する。本発明は、本明細書に記載される発明の必須要素及び制限事項、並びに本明細書に記載される追加又は任意の物質、構成要素、工程、又は制限事項のいずれかを含むことができ、これらからなることができ、及びこれらから本質的に成ることができる。
【００１０】
本明細書で使用する時、「効果剤」は、布地に効果をもたらす物質又は物質の混合物を指す。効果剤の非限定的な例として、芳香剤、柔軟化剤、パリパリ化剤（crispening agents）、水／汚れ忌避剤、清涼剤、静電気防止剤、抗菌剤、消毒剤、パーマネントプレス剤、しわ防止剤、しわ除去剤、防臭剤、悪臭調節剤、耐磨耗剤、溶媒、虫／ペット忌避剤、湿潤剤、ＵＶ防止剤、皮膚／布地コンディショニング剤、皮膚／布地栄養剤、色保護剤、シリコーン、防腐剤、漂白剤及び／又は漂白剤前駆体、クリーニング剤、布地縮み低減剤、有機溶媒、及びこれらの組合せなどが挙げられる。
【００１１】
本明細書全体を通じて記載されるあらゆる最大数値限定は、それより小さいあらゆる数値限定が本明細書に明示的に記されているかの如く、そのようなより小さい数値限定を包含することを理解すべきである。本明細書全体を通じて記載されるあらゆる最小数値限定は、それより大きいあらゆる数値限定が本明細書に明示的に記されているかの如く、そのようなより大きい数値限定を包含するものである。本明細書全体を通じて記載されるあらゆる数値範囲は、そのようなより広い数値範囲内に入る、それより狭いあらゆる数値範囲が本明細書に明示的に記されているかの如く、そのようなより狭い数値範囲を包含するものである。
【００１２】
本発明は、ハンドル及びカバーで構成される（糸くず取りローラーなどの）ローラー用具に関するものであり、その非限定的な一実施形態が図１〜９に示される。図１を参照すると、ローラー物品１が示されている。その物品は、ハンドル１０、カバー３０、及び基材４０を備える。図２及び図６を参照して、ハンドル１０は、共に取り付く第一のハウジング１１及び第二のハウジング１２からなる２つの非対称半分体で構成される。ハンドル１０は、ローラーハブ１４及びカバーガイド竪穴２１を含む。カバー３０が、ローラーハブ１４を覆う。カバー３０及びハンドル１０は、プラスチックを含むがこれに限定されない、いかなる耐久性材料から構成されてもよい。そのプラスチックは、当業者に周知の種々の方法で形成されてもよい。ロール４０に形成された基材が、ローラーハブ１４の上に配置されてもよい。図３及び図６を参照して、カバー３０は、整列ガイド柱３１で構成され、これがハブ１４のガイド竪穴２１に嵌り込む。ガイド柱３１は、カバー３０をガイド竪穴２１に整列することを助ける導入先細部３２を含む。参照
図３ａを参照して、カバー３０の遠位端部（すなわち、ハンドル１０に遠いカバー３０の端部）は、表面上に垂直姿勢で置かれた時にローラー物品１が安定することを助けるために、点接触部３３を含んでもよい（例えば、ローラー物品１は、垂直／立ち姿勢で保管するのが望ましいことがある）。
【００１３】
図４を参照すると、第一のハウジング１１の外側が示されている。第一のハウジング１１は、ハンドル１３、半径方向リブ１５、及び軸方向リブ１６を含む。半径方向リブ１５が、基材ロール４０の回転を容易にする。軸方向リブ１６が、基材ロール４０のハブ１４に対する軸整列維持を容易にする。
【００１４】
図４ａを参照すると、第一のハウジング１１の内側が示されている。内側は、第一のハウジング１１を第二のハウジング１２に対して保持するために、雄形スナップ部１７及び雌形八角形取付部１９を含む。雌形竪穴スナップ部２２が、カバー３０を保持するために、カバー３０上の雄形保持スナップ部３５と噛み合う。補強リブ３６が、共に組み立てられた時の第一のハウジング１１及び第二のハウジング１２の両方に対して、補強／構造的一体性をもたらす。
【００１５】
図５を参照すると、第二のハウジング１２の外側が示されている。第二のハウジング１２は、半径方向リブ１５と、軸方向リブ１６と、雄形スナップ部１７（図４ａに示す）に噛み合うための雌形スナップ部１８及び雌形八角形取付部１９（図４ａに示す）に噛み合うための雄形取付柱２０と、通気スロット２４とを含む。芳香剤などの効果剤を含む基材４０を使用する時に、通気スロット２４は、芳香剤が基材ロール４０から周辺へ移動するのを容易にする助けをする。半径方向リブ１５は、軸方向リブ１６により連結されて、基材ロール４０がハブ１４上に滑り込むことを可能にする。
【００１６】
図５Ａを参照すると、第二のハウジング１２の内側が示されている。第二のハウジング１２の内側は、雌形スナップ部１８、通気スロット２４、雄形取付柱２０、雌形竪穴スナップ部２２、及びカバー停止体３４を含む。カバー停止体３４は、カバー３０が基材ロール４０へ押し込まれて基材ロール４０を損傷することを防護し、カバー３０と基材４０の間に隙間を残す。
【００１７】
図６は、ハンドル１０及びハブ１４を示す。ガイド竪穴２１が、ハブ１４の中央に配置されている。ガイド竪穴２１は、カバー３０のガイド柱３１と共同で機能する。
【００１８】
図７は、ハブ１４の雌形スナップ部１８及び雄形スナップ部１７の断面図を示す。
【００１９】
図８は、ローラー物品１の軸方向断面図を示しており、ローラー物品が、カバー３０の雄形保持スナップ部３５の保持を容易にするための雌形竪穴スナップ部２２を含む。ガイド柱３１、雄形取付柱２０、及びカバー停止体３４もまた示されている。
【００２０】
図９は、基材保持タブ２３を示すハブ１４の頂部図である。基材保持タブ２３は、可撓性タブであってもよい。
【００２１】
本発明の特定の実施形態について例証し説明したが、本発明の精神及び範囲を逸脱することなしに、種々の他の変更及び修正が可能であることは当業者には明らかであろう。従って、本発明の範囲内にあるそのような全ての変更及び修正を、添付の特許請求の範囲で扱うものとする。本明細書に引用される文献は全て、関連部分において参考として本明細書に組み込まれる。いかなる文献の引用も、それが本発明に関する先行技術であることを承認するものとして解釈されるべきでない。
【図面の簡単な説明】
【００２２】
【図１】本発明に従って作製されたローラー用具及びカバーの斜視図。
【図２】図１の実施形態の分解斜視図。
【図３】本発明に従って作製されたカバーの実施形態の斜視図であり、カバーの開放端部を示す。
【図３ａ】図３のカバーの実施形態の反対側端部から見る斜視図であり、カバーの閉止端部を示す。
【図４】ハンドル用の第一のハウジングの外側を示す、１つの非限定的な実施形態の斜視図。
【図４ａ】図４の第一のハウジングの内側の斜視図。
【図５】ハンドル用の第二のハウジングの外側を示す、１つの非限定的な実施形態の斜視図。
【図５ａ】図５の第二のハウジングの内側の斜視図。
【図６】本発明に従って作製されたハンドルの斜視図。
【図７】図６のハンドルの線７−７に沿って見る断面図。
【図８】図１の線８−８に沿って見る軸方向断面図を示す。
【図９】図６のハブの頂部図。
【図１】
2008503276.tif 000003
【図２】
2008503276.tif 000004
【図３】
2008503276.tif 000005
【図３Ａ】
2008503276.tif 000006
【図４】
2008503276.tif 000007
【図４Ａ】
2008503276.tif 000008
【図５】
2008503276.tif 000009
【図５Ａ】
2008503276.tif 000010
【図６】
2008503276.tif 000011
【図７】
2008503276.tif 000012
【図８】
2008503276.tif 000013
【図９】
2008503276.tif 000014
【国際調査報告】
2008503276.tif 000015
2008503276.tif 000016
2008503276.tif 000017